(57)【要約】      （修正有）【課題】盆栽が置かれた台を自動的に回転可能とし、盆栽全体の樹形を鑑賞したり評価し得る回転式盆栽台を提供する。【解決手段】箱状の置台１の内部に設けられたモータ６と、置台上部の天板３の上部に、上面に盆栽が置かれる回転可能な回転板４とを備え、回転板の下面中央部に、置台の内部のモータ６に向って延びる回転軸４ａが設けられ、回転軸はモータの駆動軸６ａと連結され、回転板上に置かれた盆栽の正面、側面、背面を鑑賞、評価可能とした。【選択図】図１
0003212850.tif 000002
【実用新案登録請求の範囲】
【請求項１】
箱状の置台１の内部に設けられたモータ６と、前記置台上部の天板３の上部に、上面に盆栽Ｂが置かれる回転可能な回転板４とを備え、この回転板４の下面中央部に、前記置台１の内部のモータ６に向って延びる回転軸４ａが設けられ、この回転軸４ａは前記モータ６の駆動軸６ａと連結され、前記回転板上に置かれた盆栽Ｂの正面、側面、背面を鑑賞、評価可能としたことを特徴とする回転式盆栽台。
【請求項２】
請求項１記載の回転式盆栽台において、前記回転板４と前記天板３との間に、回転板４を回転可能に支える支球体１２を設けたことを特徴とする回転式盆栽台。
【考案の詳細な説明】
【技術分野】
【０００１】
本考案は、盆栽観賞用の回転式盆栽台に関する。
【背景技術】
【０００２】
盆栽は古くは平安時代に始まり、その歴史は長く日本文化として根づいている。
【０００３】
盆栽は、例えば人里離れた深山の奥に生息する大木の姿を鉢に疑縮して再現したりとか三保の松原のような松を鉢で育てたりと、ただ鑑賞するだけでなく、生育過程で針金掛けをして屈曲させたり、剪定などを行い、丹精を込めて育てあげ、育てることを楽しむことができ、また芸術作品としての価値もある。
【０００４】
こういった盆栽は海外にも輸出され、海外において「Ｂｏｎｓａｉ」と呼ばれ非常に人気が高く愛好家も多く、海外でも盆栽展が開催されるなど盛況である。円安の影響もあってか最近、訪日外国人が急増しており、日本の盆栽展に訪れる外国人も多く、今後、益々盆栽の人気は高まることが予想される。
【０００５】
従来、盆栽は固定台の上に静置され、正面から見て、その木の姿、枝ぶり、枝の葉などの樹形を鑑賞し楽しんだり、評価したりしていた。
【０００６】
しかし盆栽は生き物であり、自然界という空間の中で四方八方に成長していく立体的なものである。このため静置された正面のみならず、左右の側面や背面全体にわたり多角的に見ることができれば盆栽の奥深さをより知ることができ、楽しみ方が倍増し、評価する場合も総合的な適切な判断を行うことができる。
【０００７】
従来、この種の観賞用の台としては次のようなものがある。
【先行技術文献】
【特許文献】
【０００８】
【特許文献１】実用新案登録第３０１５７３７号
【特許文献２】実用新案登録第３０５３０２１号
【特許文献３】実用新案登録第３０３７９５０号
【特許文献４】実用新案登録第３１０８０３３号
【考案の概要】
【０００９】
上記従来例ではいずれも全て固定式の台であるため、その上に置かれた盆栽を正面からのみしか見ることができない。右左や背面を見たい場合、いちいち人がそこへ回り込まなければならない、という課題があった。
【００１０】
この考案は上記に鑑みなされたものであり、その目的とするところは、盆栽が置かれた台を自動的に回転可能とし、盆栽全体の樹形を鑑賞したり評価し得る回転式盆栽台を提供するものである。
【課題を解決するための手段】
【００１１】
上記課題を解決するために請求項１に係る本考案は、箱状の置台１の内部に設けられたモータ６と、前記置台上部の天板３の上部に、上面に盆栽Ｂが置かれる回転可能な回転板４とを備え、この回転板４の下面中央部に、前記置台１の内部のモータ６に向って延びる回転軸４ａが設けられ、この回転軸４ａは前記モータ６の駆動軸６ａと連結され、前記回転板上に置かれた盆栽Ｂの正面、側面、背面を鑑賞、評価可能としたことを特徴とする。
請求項２に係る本考案は、請求項１記載の回転式盆栽台において、前記回転板４と前記天板３との間に、回転板４を回転可能に支える支球体１２を設けたことを特徴とする。
【考案の効果】
【００１２】
請求項１記載の本考案によれば、盆栽を載せた台は回転自在であるため、盆栽を正面のみならず全体にわたって枝ぶり、葉姿、幹の肌などの樹形を鑑賞、評価し得る、といった効果がある。
【００１３】
請求項２記載の本考案によれば、大きく、比較的重量のある盆栽ではそれに対応して大型の回転板が必要になるが、回転板底面に回転自在な支球体を設け支持したため、回転板の傾きやガタ付きを防止し、スムースに回転させることができる効果がある。
【図面の簡単な説明】
【００１４】
【図１】本考案の第１実施例の内部構造の概略を示す説明図。
【図２】本考案の第２実施例を示す。
【図３】本考案に用いられる回転板を回転可能に支持する支球体の斜視図を示す。
【図４】本考案の第３実施例を示す。
【図５】本考案の第３実施例に用いられる歯車機構の一例を示す。
【図６】本考案の回転式盆栽台に盆栽を載せた状態を示す。
【図７】（ａ）〜（ｅ）は回転板を回転させ盆栽全体の樹形を見ている状態を示す。
【考案を実施するための形態】
【００１５】
図１は本考案の第１実施例の概略内部構造を示す。図中１は筐体上の置台であり、この置台１は脚部２とその上部に設けられた天板３とからなる。天板３が例えば短形の場合、通常その四隅に脚部２がそれぞれ設けられるが、天板３は必ずしも短形に限られるものでなく円形であっても良い。したがって、脚部２の取付け位置は四隅に限定されるものではない。
【００１６】
天板３の上部には天板上面３ａと離間し、つまり非接触の状態で回転可能な回転板４が設けられている。この回転板４は回転機構５によって正逆回転可能になっている。
【００１７】
回転機構５は、駆動軸６ａを有するモータ６、このモータ６を支持するモータ支持部７、回転板４の中央に設けられた回転軸４ａ、この回転軸４ａと駆動軸６ａとを連結する自在継手８とを備えている。
【００１８】
モータ７は直流モータであっても交流モータであっても良い。スイッチの切り替えで回転方向を変えることができるように構成されている。直流モータであれば極性を反転させれば回転方向を変えることができる。交流整流子電動機であれば界磁コイルと電機子のどちらか片方を反転させれば良い。単相誘導電動機であればコンデンサ起動コイル接続を反転させれば良い。三相電動機であれば２線を反転させれば良い。また、所望の回転速度で回転させるようにしている。さらに、モータのオン・オフ、時計方向もしくは反時計方向の回転、回転速度等は遠隔操作によって行うことができるようにすると便利である。これらは公知の技術を適宜用いれば容易に実現し得る。
【００１９】
モータ６の駆動軸６ａが突出した側は上向きにセットされ、モータ本体はモータ支持部７に、例えばネジ止めのような取付手段によって取付けられている。
【００２０】
モータ支持部７の両端部にはネジ挿通孔７ａが形成され、そこにやや長目のネジ９の下端部が挿通されている。図示例ではネジ９はネジ挿通孔７ａを貫通し、その下端部がモータ支持部７の下面から突出し、ナット１０により固定されているが、ネジ挿通孔７ａを有底孔とし、内周面にネジを切っておき、ネジ９を螺設するようにしても良い。このネジ９は天板３の上部に形成された凹状のネジ取付部３ｂからモータ支持部７に向って挿通され、上述のようにしてモータ支持部７を支持し、かつモータ６を支持する。ネジ９は長尺状で、モータ支持部７の上面と天板３の下面との間に空間部１１が形成されている。
【００２１】
モータ６の駆動軸６ａはモータ支持部７の上面から上方に突出し、空間部１１に位置している。この空間部１１はネジ９を挿通・支持する円筒状部材によって設定される。換言すると、円筒状部材はモータ支持部７の上面と天板３の下面との間に設けられるネジ挿通・支持部材である。この部材の長さによって所定の空間を設け、その空間部分に、駆動軸６ａ、回転軸４ａを連結するようにすれば良い。
【００２２】
天板３の上部には、好ましくは円形をなす回転板４が天板３の上面と離間して設けられる。回転板４の下面中央部には回転軸４ａが設けられ、この回転軸４ａは天板３に形成された切欠き部３ｃから下方のモータ６の駆動軸６ａに向って延び、モータ駆動軸６ａと回転板回転軸４ａとは自在継手８によって連結され、モータ６の回転が回転板４に伝達され、回転板４が回転するように構成されている。８ａは回転軸４ａ、駆動軸６ａを固定する固定ネジである。
【００２３】
図２は本考案の第２実施例である。この実施例では回転板４を回転可能に支持する支球体１２を設けたことに特徴を有している。
【００２４】
すなわち、回転板４が大きい場合や回転板４の上に載せた盆栽の重量で回転板４がたわんだりし、回転時にブレやガタが生じるおそれがある。このため、回転板４の下部の適位置に適数個の支球体１２を設けることにより回転板４のたわみ、ガタ付きなどを防止し、回転板４を円滑に回転させることができるようにしている。
【００２５】
具体的には支球体１２は回転板４の外周部下方に設けられる。天板３の上部には支球体１２を設ける凹部３ｃ´が形成され、そこに支球体１２が設けられ、支球体１２の上部に回転板４の下面が当接し、回転板４を支える。
【００２６】
図３は支球体１２の斜視図を示す。この支球体１２は、ベアリング状の球体１３と、それを回転可能に受容する球体受け１４と、球体受け１４の下面中央部に下方に向って突出した取付部１５を備えている。
【００２７】
球体受け１４はカップ状をなし、内部に球体１３が設けられ、球体１３と球体受け１４との間に隙間があり、回転自在となっている。球体１３は球体受け１４から抜け出ないように収められ、球体１３の上部１３ａは球体受け１３から露出し、かつ球体１３はどの方向に対しても回転可能となっている。球体１３の上部１３ａは回転板４を支えるべく回転板４の下面と当接し、回転板４の回転を妨げることなく回転板４を支持するように構成されている。
【００２８】
取付部１５はこの例ではくぎ状をなし、天板３が木製であればその所定の位置に打ちつければ天板３上に容易に固定できる。この取付部１５の外周部にネジを切っておき天板３に螺設するようにしても良い。また、取付部１５は必ずしも必須ではない。すなわち、天板３が金属のような硬い材質で打ち込むことが困難な場合、球体受け１４の下面に強力な接着剤を塗布し、天板３に形成された凹状の支球体取付部３ｃ´に接着しても良い。
【００２９】
図４は本考案の第３実施例で、上記第１、第２実施例において、モータ６は縦形配置としたが、この実施例ではモータ６を寝かせて、つまり横向きに配置した例である。このようにすれば置台１の縦寸法を短くでき、コンパクト化できる利点がある。
【００３０】
モータ６の回転を回転板４の回転軸４ａに伝えるには傘ば歯車のような歯車機構１６を用いれば良い。すなわち、モータ駆動軸６ａに第１のギヤ１７ａを取付け、また、回転板４の回転軸４ａに、上記第１のギヤ１７ａと噛合する第２のギヤ１７ｂを設け、回転の向きを変えるようにすれば良い。この場合、相互の歯数を調整することによりモータ６の回転を減速させ、回転板４を所望の速度で回転させることができる。
【００３１】
図５は歯車機構１６の概略斜視図を示す。この歯車機構１６は傘ば歯車にて構成しているが、その他としてウォームギヤなどを用いて回転方向を変えるようにしても良い。
【００３２】
図６は使用状態で、盆栽を回転板４に載せた状態、図７（ａ）〜（ｅ）は回転板４を回転させた状態を示す。回転板４の上面に盆栽Ｂを載せ、モータ６を駆動させれば回転板４は回転し、盆栽Ｂの樹形を３６０度にわたって鑑賞して楽しんだり、評価したりすることができる。
【００３３】
なお、上記実施例では回転板４に盆栽を載せた場合について説明したが、生花に適用しても良い。
【符号の説明】
【００３４】
１      置台
２      脚部
３      天板
３ａ    天板上面
３ｂ    ネジ取付部
３ｃ    支球体取付部
３ｃ´  凹部
４      天板
４ａ    回転軸
５      駆動機構
６      モータ
６ａ    モータ駆動軸
７      モータ支持部
７ａ    ネジ挿通孔
８      自在継手
８ａ    固定ネジ
９      ネジ
１０    ナット
１１    空間部
１２    支球体
１３    球体
１３ａ  球体上面
１４    球体支持受
１５    取付部
１６    歯車機構
１７ａ  第１の歯車
１７ｂ  第２の歯車
Ｂ      盆栽
【図１】
0003212850.tif 000003
【図２】
0003212850.tif 000004
【図３】
0003212850.tif 000005
【図４】
0003212850.tif 000006
【図５】
0003212850.tif 000007
【図６】
0003212850.tif 000008
【図７】
0003212850.tif 000009